(57)【要約】【課題】ボール部品が循環湾曲時において挟み込み作用を発生せず、循環運動時の摩擦力の発生を抑えた、リニアガイドの低騒音ボール装置の提供。【解決手段】スライド座部、循環器、弧状抗引部、仕切り部及びボール部品から成り、該仕切り部の間に該弧状抗引部が設置されて該仕切り部と連結され、且つ、該仕切り部の間に形成された収納空間に前記ボール部品が設置され、また、該仕切り部両側に斜め方向に直線移動接触面及び循環移動接触面をそれぞれ設け、該ボール部品が前記スライド座部の直孔内で移動するとき、該仕切り部の直線移動接触面及び循環移動接触面が該ボール部品と相互に接触し、該ボール部品と仕切り部の接触点を該ボール部品の中心位置に保持し、また、前記弧状抗引部は、点接触方式で導引層に接触し、該弧状抗引部は循環経路全体において、線摩擦方式でのみ該導引槽に接触し、且つ、該弧状抗引部の弧状曲線の連結を特徴とする。【選択図】  図５ 
0003103151.tif 000002
【実用新案登録請求の範囲】
【請求項１】
リニアガイドのボール装置であって、スライド座部、循環器、弧状抗引部、仕切り部及びボール部品から成り、該仕切り部の間に該弧状抗引部が設置され、該仕切り部と連結され、且つ、該仕切り部の間に形成された収納空間に前記ボール部品が設置され、また、該仕切り部両側に斜め方向に直線移動接触面及び循環移動接触面をそれぞれ設け、該ボール部品が前記スライド座部の直孔内で移動するとき、該仕切り部の直線移動接触面及び循環移動接触面が該ボール部品と相互に接触し、該ボール部品と仕切り部の接触点を該ボール部品の中心位置に保持し、また、前記弧状抗引部は、点接触方式で導引層に接触し、該弧状抗引部は循環経路全体において、線摩擦方式でのみ該導引槽に接触し、且つ、該弧状抗引部の弧状曲線の連結を特徴とするリニアガイドの低騒音ボール装置。
【請求項２】
前記仕切り部を包覆式の仕切り部とし、該包覆式の仕切り部が前記ボール部品を内部に包み込み、該ボール部品の接触部位のみが露出される請求項１に記載のリニアガイドの低騒音ボール装置。
【請求項３】
前記スライド座部と循環器の接触面上の直孔、循環孔、導引槽、循環孔導引槽の端面周囲に円滑曲線をそれぞれ設け、且つ、前記弧状抗引部と仕切り部の接続湾曲箇所に弧辺部を設けた請求項１に記載のリニアガイドの低騒音ボール装置。
【請求項４】
前記弧状抗引部と仕切り部を連続排列方式とした、請求項１に記載のリニアガイドの低騒音ボール装置。
【請求項５】
前記ボール部品がボールとローラーを含む請求項１に記載のリニアガイドの低騒音ボール装置。
【請求項６】
前記弧状抗引部が曲げ性を備えた材質である請求項１に記載のリニアガイドの低騒音ボール装置。
【請求項７】
リニアガイドのボール装置であって、スライド座部、循環器、弧状抗引部、仕切り部及びボール部品から成り、該仕切り部の間に該弧状抗引部が設置され、該仕切り部と連結され、且つ、該仕切り部の間に形成された収納空間に前記ボール部品が設置され、また、該仕切り部両側に斜め方向に直線移動接触面及び循環移動接触面をそれぞれ設け、該ボール部品が前記スライド座部の直孔内で移動するとき、該仕切り部の直線移動接触面及び循環移動接触面が該ボール部品と相互に接触し、該ボール部品と仕切り部の接触点を該ボール部品の中心位置に保持し、また、前記弧状抗引部は、点接触方式で導引層に接触し、該弧状抗引部は循環経路全体において、線摩擦方式でのみ該導引槽に接触し、且つ、該弧状抗引部の弧状曲線の連結を特徴とし、さらに、該スライド座部上にネジ孔を設け、該ネジ孔と該スライド座部内の直孔管孔が相通しており、且つ、直孔管を該直孔管孔内に挿入して設置し、前記ボール部品が該直孔管孔内で円滑に循環運動し、前記ネジ孔と直孔管孔が相通した構造により、該ネジ孔の有効深さを深く設計することができ、ネジ強固に固定でき、且つ、該ネジ孔の有効深さを固定化し、該スライド座部の厚さを薄くして該スライド座部とガイドの組立て高さを自由に調整可能とし、また、該直孔管内及び抗引部導引線の一方の側に潤滑油を収納するオイル空間を設けたリニアガイドの低騒音ボール装置。
【考案の詳細な説明】
【技術分野】
【０００１】
本考案は、弧状抗引部が導引槽と点状に接触し、該弧状抗引部が弧状の曲線で接続され、ボール部品が循環湾曲時において挟み込み作用を発生しない、リニアガイドの低騒音ボール装置に関する。
【背景技術】
【０００２】
図１に示すように、従来品は仕切り部Bの間にいかなる抗引部も連結されておらず、ボール部品Aが循環するとき、該仕切り部Bの離脱偏移現象が発生しやすく、該ボール部品Aの運転が円滑でなくなってしまう。
【０００３】
図２に示すように、別の従来品は、保持器Cの抗引部Eの非可曲性段部Fの長さが可曲性段部Gの長さより長いか、可曲性段部Gの長さを最長化することができず、且つ、連結部Dと抗引部Eの連結部分の断面積が大きすぎ、抗引部Eの非可曲性段部Fの長さが長くなってしまい、保持器Cが循環運動において大きな摩擦力（図２−１参照）と大きな挟み込み作用Pを発生するという欠点がある。
【０００４】
図３に示すように、直孔Jと循環孔Kは相通しており、ボール部品Lが循環移動できる構造になっているが、スライド座部Hと循環器Iの組立てにおいて、製造公差偏移距離Mと鋭角Nが生じやすい。
【０００５】
図４に示すように、スライド座部H内にネジ孔Tと直孔管Rが設置され、該ネジ孔Tの有効な深さは一定の深さであるため、往々にして該スライド座部HとガイドSの組立て高さUに影響し、且つ、該スライド座部HとガイドSの組立て高さUは、様々な使用状況に合わせその高さを自由に調節することはできない。
【考案の開示】
【考案が解決しようとする課題】
【０００６】
本考案は、弧状抗引部が導引槽と点状に接触し、該弧状抗引部が弧状の曲線で接続され、ボール部品が循環湾曲時において挟み込み作用を発生しない、リニアガイドの低騒音ボール装置の提供を目的とする。
【課題を解決するための手段】
【０００７】
図５、図６に示すように、本考案はスライド座部１、循環器９、弧状抗引部５、仕切り部３、仕切り部６及びボール部品４から成り、そのうち、前記仕切り部3と6の間に前記弧状抗引部５が設置され、該仕切り部３、６と連結され、且つ、該仕切り部３と仕切り部６の間に収納空間が形成され、前記ボール部品４が該収納空間に設置される。また、前記仕切り部６に直線移動接触面７と循環移動接触面８を設け、該ボール部品４が、前記スライド座部１の直孔２内で移動するとき、前記仕切り部６の直線移動接触面７と循環移動接触面８が該ボール部品４と相互に接触し、位置移動が安定する効果が得られ、同時に、該ボール部品４の該仕切り部３、６との接触点を中心位置に保持することができ、より実用的である。  
【０００８】
また、前記弧状抗引部５は、導引槽１１と点接触を形成し、該弧状抗引部５は循環経路全体において線摩擦方式でのみ該導引槽１１と接触し、且つ、該弧状抗引部５の弧状曲線の連結により、前記ボール部品４の循環湾曲時において挟み込み作用が生じにくくなり、循環を円滑にすることができる。
【０００９】
図１１に示すように、スライド座部１上にネジ孔１６を設け、該ネジ孔１６と該スライド座部１内の直孔管孔１７１は相通しており、且つ、直孔管７を該直孔管孔１７１内に挿入する。これにより、前記ボール部品４が該直孔管１７の孔内で円滑に循環運動を行なうことができ、前記ネジ孔１６と直孔管孔１７１が相通している構造により、該ネジ孔１６の有効深さ１５がより深くなり、ネジの固定強度を向上することができる。また、図１２に示すように、該ネジ孔１６の有効深さ１５は一定とすることができ、前記スライド座部１の厚さを薄くし、該スライド座部１とガイド２０の組立て高さ２１を使用状況に応じ自由に調節することができ、使用上の利便性が高く、製品の互換使用が可能となる。
【００１０】
図１１に示すように、前記直孔管１７内及び導引線２２にそれぞれオイル空間１８、１９を設け、潤滑油をその内部に入れ、自動潤滑効果を得てもよい。
【考案を実施するための最良の形態】
【００１１】
ボール部品４が移動するとき、仕切り部６の直線移動接触面７及び循環移動接触面８と該ボール部品４が相互に接触し、安定した位置移動ができる。且つ、弧状抗引部５の弧状曲線の連結により、該ボール部品４が循環湾曲時において挟み込み作用が発生しにくい。
【００１２】
さらに、図7及び図８に示すように、本考案は前記仕切り部３、６を包覆式仕切り部１２としてもよく、これにより、前記ボール部品４は接触部位が露出するのみとなり、移動がより円滑になり、騒音を抑えることができる。
【００１３】
また、本考案はさらにスライド座部１と循環器９の接触面上の直孔２、循環孔１０、導引槽１１、循環孔導引槽１１１の端面周囲に円滑曲線１３（図９参照）をそれぞれ設け、且つ、前記弧状抗引部５と仕切り部３の接続湾曲箇所に弧辺部１４（図9−1参照）を設け、該ボール部品４、弧状抗引部５の循環移動をより円滑にすることができる。
【００１４】
さらに、本考案は、前記弧状抗引部５及び仕切り部３、６を、図１０に示すように、連続式の排列方式とし、循環を円滑にすることができる。
【００１５】
また、本考案は前記弧状抗引部５を、曲げ性を備えた材質の弧状抗引部とし、該ボール部品４の循環時において騒音を抑えることができる。
【００１６】
従来品の欠点は以下の通りである。
1.     
仕切り部が離脱偏移を起こしやすい。
2.     
ボール部品の運転が円滑でない。
3.     
保持器が循環運動において大きな摩擦力と循環湾曲時に挟み込み作用を生じやすい。
4.     
スライド座部と循環器の組み合わせが製造公差偏移距離と鋭角を発生し易い。
5.     
使用寿命が短く、使用コストが高い。
6.     
スライド座部とガイドの組立て高さを自由に調整することができない。
【００１７】
本考案の長所は以下の通りである。
1.     
仕切り部が離脱偏移を起こしにくい。
2.     
ボール部品の運転が円滑である。
3.     
大きな摩擦力と挟み込み作用を生じない。
4.     
スライド座部と循環器に円滑曲線が設けられ、位置移動がなく円滑である。
5.     
リニアガイドの使用寿命を延長できる。
6.     
仕切り部の接触点をボール部品の中心位置に維持でき、摩擦力を抑えることができる。
7.     
使用コストを抑えることができる。
8.     
スライド座部とガイドの組立て高さを自由に調整できる。
【図面の簡単な説明】
【００１８】
【図１】従来品の仕切り部の循環における離脱発生を示す透視図である。
【図２】図１とは別の従来品の保持器の立体図である。
【図２−１】図２の抗引部が循環回転において生じる大きな挟み込み作用を示す平面図である。
【図３】図１、図２とは別の従来品の部分透視図である。
【図４】図１、図２、図３とは別の従来品の透視図である。
【図５】本考案のリニアガイドの平面図である。
【図６】本考案の弧状抗引部の平面図である。
【図７】本考案の仕切り部の別の実施例を示す平面図である。
【図８】本考案の仕切り部の別の実施例を示す平面図である。
【図９】本考案の別の実施例を示す平面部分拡大図である。
【図９−１】図９の抗引部と仕切り部の側面図である。
【図１０】本考案の抗引部と仕切り部を連続排列方式とした場合の平面図である。
【図１１】本考案の組立後の状態を示す平面図及び部分拡大図である。
【図１２】本考案の別の組立後の状態を示す平面図及び部分拡大図である。
【符号の説明】
【００１９】
A      ボール部品
B      仕切り部
C      保持器
D      連結部
E      抗引部
F      非可曲性段部
G      可曲性段部
H      スライド座部
I       循環器
J       直孔
K      循環孔
L      ボール部品
M      製造公差偏移距離
N      鋭角
P      挟み込み作用
R      直孔管
S      ガイド
T      ネジ孔
U      組立て高さ
１      スライド座部
２      直孔
３      仕切り部
４      ボール部品
５      弧状抗引部
６      仕切り部
７      直線移動接触面
８      循環移動接触面
９      循環器
１０    循環孔
１１    導引槽
１１１  循環孔導引槽
１２    包覆式仕切り部
１３    円滑曲線
１４    弧辺部
１５    有効深さ
１６    ネジ孔
１７    直孔管
１７１  直孔管孔
１８    オイル空間
１９    オイル空間
２０    ガイド
２１    組立て高さ
２２    導引線
【図１】
0003103151.tif 000003
【図２】
0003103151.tif 000004
【図２−１】
0003103151.tif 000005
【図３】
0003103151.tif 000006
【図４】
0003103151.tif 000007
【図５】
0003103151.tif 000008
【図６】
0003103151.tif 000009
【図７】
0003103151.tif 000010
【図８】
0003103151.tif 000011
【図９】
0003103151.tif 000012
【図９−１】
0003103151.tif 000013
【図１０】
0003103151.tif 000014
【図１１】
0003103151.tif 000015
【図１２】
0003103151.tif 000016